(57)【要約】【課題】印刷版の天地方向の中間部が凸状となるように湾曲させながら傾斜させて集積するときに、印刷版の下端部に損傷が生じるのを防止する。【解決手段】印刷版集積装置に設けている載置部３６には、所定角度で傾斜させた載置板８２が設けられ、下端部を受け板８４上に載せた印刷版１２を載置板に立て掛けて集積する。載置板には、印刷版の天地方向の中間部に対向する支持板８８が設けられており、載置部に集積される印刷版は、先ず、下端部が支持板の下端部に当接する。このとき、支持板の下端部が収縮脚９２の弾性部材９６を集積させながら湾曲して、印刷版の衝撃を吸収し、印刷版の画像記録面２２に支持板の表面が接触するときに損傷が生じるのを防止している。【選択図】　　　　図８
2004115155.tif 000002
【特許請求の範囲】
【請求項１】
天地方向の端部に所定形状の曲げ部が形成され、上流側の処理装置から天地方向と直交する幅方向に沿って送り出される印刷版を受け取り、所定角度で傾斜させて集積する印刷版集積装置であって、
所定角度で傾斜されて設けられ幅方向が略上下方向となるように前記印刷版が立て掛けられることにより該印刷版を傾斜状態で載置して集積する載置板と、
前記載置板に立て掛けられる前記印刷版の下端を支持する受け板と、
前記処理装置から送り出される印刷版を幅方向の一端側を前記受け板に受け渡して前記載置板へ向けて傾倒させる傾倒手段と、
可撓性部材によって帯板状に形成され長手方向が略上下方向に沿って前記載置板の表面に配置され、前記載置板に集積される前記印刷版の天地方向に沿った中間部に当接して支持する支持板と、
前記支持板の長手方向の中間部及び上端部を、前記載置板の上面から所定高さに固定して、前記受け板に支持された前記印刷版の幅方向の端部が支持板に当接したときに支持板の下端部を弾性変形可能とする固定脚と、
を含むことを特徴とする印刷版集積装置。
【請求項２】
前記支持板の下端部と前記載置板の間に配置されて前記支持板と共に弾性変形する弾性部材が設けられた収縮脚を含むことを特徴とする請求項１に記載の印刷版集積装置。
【請求項３】
前記弾性部材に加えて、収縮脚が、前記弾性部材と共に前記支持板の下端部と前記載置板との間に配置されて、前記支持板の下端部の湾曲量を規制する固定部材を含むことを特徴とする請求項２に記載の印刷版集積装置。
【請求項４】
天地方向の端部に所定形状の曲げ部が形成され、上流側の処理装置から天地方向と直交する幅方向に沿って送り出される印刷版を受け取り、所定角度で傾斜させて集積する印刷版集積装置であって、
所定角度で傾斜されて設けられ幅方向が略上下方向となるように前記印刷版が立て掛けられることにより該印刷版を傾斜状態で載置して集積する載置板と、
前記載置板に立て掛けられる前記印刷版の下端を支持する受け板と、
前記処理装置から送り出される印刷版を幅方向の一端側を前記受け板に受け渡して前記載置板へ向けて傾倒させる傾倒手段と、
前記処理装置から略水平状態で送り出される前記印刷版を受け取って、送り出し方向側の端部が下方となるように揺動して前記傾倒手段へ受け渡す揺動手段と、
前記揺動手段に設けられて前記処理装置から送り出される前記印刷版の送り出し方向側の先端部を支持するアーム部と、
一端側が前記アーム部の下方先端部に取付けられて他端側が前記処理装置から送り出される印刷版の送り出し方向側の先端に対向され、印刷版の送り出し方向側の先端が当接することにより揺動手段上の移動を停止させると共に、揺動手段が揺動したときに印刷版の幅方向の端部を支持する止め板と、
を含むことを特徴とする印刷版集積装置。
【発明の詳細な説明】
【０００１】
【発明の属する技術分野】
本発明は、天地方向の両端部に印刷用輪転機の版胴へ装着するための曲げ部が形成された印刷版を集積する印刷版集積装置に関する。
【０００２】
【従来の技術】
新聞印刷等には、アルミニウム等によって薄肉矩形形状に形成した支持体に感光層を設けた感光性平版印刷版（以下「印刷版」とする）が用いられ、この印刷版に対して画像露光を施した後に、天地方向の端部に印刷用輪転機の版胴へ装着するためのパンチ孔ないし切り欠きの穿設（パンチ処理）と共に、所定形状の曲げ処理（版曲げ処理）が施される。
【０００３】
多量の刷版を作成する印刷工場では、印刷版への画像露光からパンチ／版曲げ処理までを連続して行う製版システムが用いられており、この製版システムから、パンチ／版曲げ処理が終了して順次排出される印刷版を、集積装置で集積し、次工程（例えば印刷工程の輪転機）まで運搬するようにしている。
【０００４】
このような製版システムに用いられる集積装置は、例えば、平板状の受け台を所定角度で傾斜させて配置し、製版システム略水平状態で送り出される印刷版を揺動アームによって受け取って、この印刷版を受け台へ向けて傾倒させることにより、受け台に立て掛けて集積するようにしている。
【０００５】
これにより、新聞２頁分の画像を縦に並べて形成可能な２Ｌ１Ｗサイズの印刷版であっても、狭いスペースで集積可能となるようにしている。
【０００６】
ところで、版曲げ処理は、印刷版の天地方向である長手方向の端部を折り曲げており、このために、既に集積されている印刷版の曲げ部の先端が、新たに集積する印刷版の画像記録面に接触して、新たに集積する印刷版の画像記録面を損傷させてしまうことがある。
【０００７】
このような印刷版の損傷を防止するために、集積する印刷版の長手方向の中間部に対向するように受け台に支持部材を設け、この支持部材によって受け台に集積する印刷版の長手方向が凸となるように湾曲させることにより、互いに隣接する印刷版の一方の曲げ部が、他方の印刷版の画像記録面に接触するのを防止した集積装置が提案されている（例えば、特許文献１参照）。
【０００８】
また、この集積装置では、最初に集積する印刷版の先端が、支持部材に当接することにより印刷版の先端や画像記録面が損傷してしまうのを防止するために、支持部材の印刷版と対向する面に緩衝部材を設けるようにしている。
【０００９】
【特許文献１】
特開２００１‐７１４４８号公報。
【００１０】
【発明が解決しようとする課題】
しかしながら、支持部材に設けている緩衝部材には、傾倒される印刷版の下端部が当接するために磨耗が生じ、これにより、最初に集積する印刷版の先端や画像記録面が損傷してしまうことがある。
【００１１】
本発明は上記事実に鑑みてなされたものであり、互いに隣接する印刷版が画像記録面を損傷するのを防止すると共に、長期に渡って、印刷版の先端や画像記録面が損傷してしまうのを防止することができる印刷版集積装置を提案することを目的とする。
【００１２】
【課題を解決するための手段】
上記目的を達成するために本発明は、天地方向の端部に所定形状の曲げ部が形成され、上流側の処理装置から天地方向と直交する幅方向に沿って送り出される印刷版を受け取り、所定角度で傾斜させて集積する印刷版集積装置であって、所定角度で傾斜されて設けられ幅方向が略上下方向となるように前記印刷版が立て掛けられることにより該印刷版を傾斜状態で載置して集積する載置板と、前記載置板に立て掛けられる前記印刷版の下端を支持する受け板と、前記処理装置から送り出される印刷版を幅方向の一端側を前記受け板に受け渡して前記載置板へ向けて傾倒させる傾倒手段と、可撓性部材によって帯板状に形成され長手方向が略上下方向に沿って前記載置板の表面に配置され、前記載置板に集積される前記印刷版の天地方向に沿った中間部に当接して支持する支持板と、前記支持板の長手方向の中間部及び上端部を、前記載置板の上面から所定高さに固定して、前記受け板に支持された前記印刷版の幅方向の端部が支持板に当接したときに支持板の下端部を弾性変形可能とする固定脚と、を含むことを特徴とする。
【００１３】
この発明によれば、処理装置から幅方向に沿って送り出される印刷版を受け取ると、この印刷版を傾倒手段によって傾倒させて載置板に立て掛けて集積する。このとき、印刷版の幅方向の端部が受け板に載せられて載置板に立てかけられる。
【００１４】
支持板は、天地方向が横方向となるように載置板に立て掛けられる印刷版の、天地方向の中間部に当接して、天地方向の中間部が突状となるように湾曲させる。
【００１５】
一方、印刷版は、傾倒手段によって載置板へ向けて傾倒されるときに、幅方向の一端が受け板に載せられ、受け板上を載置板側へ移動して、載置板に立て掛けられる。
【００１６】
このとき、印刷版は受け板側の端部が、支持板の下端部に当接し、これにより、支持体の下端部が湾曲して、印刷版の下端が支持板に当接することによる衝撃を吸収しながら、印刷版の移動を停止させるので、印刷版は、天地方向の中間部が支持板に当接したときの衝撃による損傷が防止されながら載置板に立て掛けられる。
【００１７】
請求項２の発明は、前記支持板の下端部と前記載置板の間に配置されて前記支持板と共に弾性変形する弾性部材が設けられた収縮脚を含むことを特徴とする。
【００１８】
この発明によれば、印刷版の下端部が当接することにより湾曲する支持板の下端部と載置板との間に弾性部材を設けている。これにより、支持板の急激な湾曲を抑制しながら、印刷版の下端部の移動を停止させることができるので、印刷版が支持板に当接するときの衝撃をより一層緩やかに吸収することができる。
【００１９】
また、請求項３の発明は、前記弾性部材に加えて、収縮脚が、前記弾性部材と共に前記支持板の下端部と前記載置板との間に配置されて、前記支持板の下端部の湾曲量を規制する固定部材を含むことを特徴とする。
【００２０】
この発明によれば、支持板の下端部と載置板との間に固定部材を設けることにより、支持板の湾曲量を制限している。これにより、支持板が必要以上に湾曲してしまうのを確実に防止している。
【００２１】
一方、請求項４の発明は、天地方向の端部に所定形状の曲げ部が形成され、上流側の処理装置から天地方向と直交する幅方向に沿って送り出される印刷版を受け取り、所定角度で傾斜させて集積する印刷版集積装置であって、所定角度で傾斜されて設けられ幅方向が略上下方向となるように前記印刷版が立て掛けられることにより該印刷版を傾斜状態で載置して集積する載置板と、前記載置板に立て掛けられる前記印刷版の下端を支持する受け板と、前記処理装置から送り出される印刷版を幅方向の一端側を前記受け板に受け渡して前記載置板へ向けて傾倒させる傾倒手段と、前記処理装置から略水平状態で送り出される前記印刷版を受け取って、送り出し方向側の端部が下方となるように揺動して前記傾倒手段へ受け渡す揺動手段と、前記揺動手段に設けられて前記処理装置から送り出される前記印刷版の送り出し方向側の先端部を支持するアーム部と、一端側が前記アーム部の下方先端部に取付けられて他端側が前記処理装置から送り出される印刷版の送り出し方向側の先端に対向され、印刷版の送り出し方向側の先端が当接することにより揺動手段上の移動を停止させると共に、揺動手段が揺動したときに印刷版の幅方向の端部を支持する止め板と、を含むことを特徴とする。
【００２２】
この発明は、処理装置から略水平状態で送り出される印刷版を揺動手段によって受け取る。このとき、揺動手段に設けているアーム部の先端の止め板に印刷版の送り出し方向側の先端である幅方向の端部が当接して停止することにより、揺動手段が印刷版を受け取り、止め板に当接している印刷版の幅方向の端部が下方となるように揺動して傾倒手段へ受け渡されるときに、印刷版の幅方向の端部を支持する。
【００２３】
一方、止め板は、アーム部の先端に取付けられており、上端部が印刷版の幅方向の端部に対向するようにアーム部から突設されている。
【００２４】
これにより、止め板は、印刷版の幅方向の端部が当接したときに揺動して、印刷版に衝撃を与えることなく停止させることができるので、印刷版の幅方向の端部に衝撃を与えて損傷させてしまうのを確実に防止することができる。
【００２５】
【発明の実施の形態】
以下に図面を参照しながら本発明の実施の形態を詳細に説明する。図１には、本実施の形態に適用した印刷版集積装置１０を示している。この印刷版集積装置１０は、例えば製版システム１４のパンチ／版曲げ装置１６に隣接して配置され、パンチ／版曲げ装置１６から送り出される感光性平版印刷版（以下「印刷版１２」と言う）を集積する。
【００２６】
製版システム１４は、図示しない画像焼付装置及び現像処理装置を備えており、画像焼付装置によって画像焼付けを行った印刷版１２を、現像処理装置によって現像処理した後に、パンチ／版曲げ装置１６へ送り込む。パンチ／版曲げ装置１６は、パンチ部１８と版曲げ部２０を備えており、パンチ部１８では、印刷版１２の所定の位置に切り欠きないしパンチ孔を穿設する。また、版曲げ部２０では、印刷版２０を印刷用の輪転機の版胴に装着するための版曲げ処理を施す。なお、パンチ／版曲げ装置１６は、パンチ部１８と版曲げ部２０が一体となったものに限らず、パンチ部１８が設けられたパンチ装置と、版曲げ部２０が設けられた版曲げ装置によって構成されるものや、パンチ部１８を設けずに版曲げ部２０を備えた版曲げ装置だけで構成されるものであっても良い。
【００２７】
図２（Ａ）及び図２（Ｂ）に示すように、本実施の形態に適用される印刷版１２は、例えばアルミニウム等によって形成された薄肉矩形形状の支持体に感光層が形成されている。製版システム１４では、この感光層に例えば新聞１頁分の画像２２Ａ（図２（Ａ）で二点鎖線で示す）を焼付ける（以下この面を「画像記録面２２」と言う）。
【００２８】
このとき、画像２２Ａは、天地方向が印刷版１２の長手方向となるように焼付けられ、以下では、印刷版１２の長手方向を天地方向（矢印Ｌ方向）とし、天地方向と直交する方向を幅方向（矢印Ｗ方向）とする。
【００２９】
また、本実施の形態では、一例として画像２２Ａが縦に並べて焼付けられる所謂２Ｌ１Ｗサイズの印刷版１２を用い、印刷版集積装置１０でこの印刷版１２を集積するように説明するが、本発明が適用される印刷版集積装置としては、これ以外の例えば、新聞１頁分の画像２２Ａを焼付け可能な１Ｌ１Ｗサイズや、新聞１頁分の画像２２Ａを縦横に並べて焼付け可能な２Ｌ２Ｗサイズ等の任意のサイズの印刷版の集積に用いるものであっても良く、２Ｌ２Ｗサイズと２Ｌ１Ｗサイズの印刷などのように、天地方向に沿った長さが同じ印刷版を混載して集積するものであっても良い。
【００３０】
図２（Ａ）に示すように、印刷版１２は、パンチ／版曲げ装置１６のパンチ部１８で、天地方向の両端部の所定位置に切り欠き（例えばノッチ２４Ａ、２４Ｂ、図２（Ｂ）では図示省略）が穿設される。このノッチ２４Ａ、２４Ｂの穿設位置は、印刷版１２の幅方向に沿った中間部となっており、例えば、印刷版１２の幅寸法をｗ０とした時に、ノッチ２４Ａ、２４Ｂの穿設位置が、幅方向の端部からｗ０／２となるようにしている。
【００３１】
図２（Ａ）及び図２（Ｂ）に示すように、印刷版１２は、ノッチ２４Ａ、２４Ｂが穿設されると、版曲げ部２０で、天地方向の端部がそれぞれ画像記録面２２と反対側へ向けて折り曲げられ、曲げ部２６Ａ、２６Ｂが形成される。曲げ部２６Ａは、印刷版１２を輪転機の版胴に装着するときのクワエ側となり角度θ１が例えば５０°（θ１＝５０°）となるように折り曲げられる。また、曲げ部２６Ｂは、クワエ尻側となり例えば角度θ２（例えばθ２＝１６０°）に折り曲げられた後に、さらに先端側が角度θ３（例えばθ３＝４０°）となるように折り曲げられる。
【００３２】
パンチ／版曲げ処理が施された印刷版１２は、パンチ／版曲げ装置１６の版曲げ部２０から幅方向に沿って搬送され、このパンチ／版曲げ装置１６に隣接して配置される印刷版集積装置１０へ向けて送り出される。
【００３３】
図３、図６乃至図７には、印刷版集積装置１０の概略構成を示している。この印刷版集積装置１０は、架台３０上に、揺動手段を形成する揺動コンベア３２、傾倒手段を形成する可動シュート３４及び載置部３６が設けられている。
【００３４】
架台３０には、製版システム１４のパンチ／版曲げ装置１６側（図３、図５乃至図７の紙面右側）の端部に、台座３８が設けられ、この台座３８から支持脚４０が立設されており、この支持脚４０に揺動コンベア３２が設けられている。なお、印刷版１２は、幅方向に沿って水平搬送されて、パンチ／版曲げ装置１６から揺動コンベア３２上に送り出されるようになっており、図５乃至図７では、紙面表裏方向が印刷版１２の天地方向となっている。
【００３５】
図３に示すように、揺動コンベア３２には、軸方向がパンチ／版曲げ装置１６から送り出される印刷版１２の天地方向に沿うように配置されたシャフト４６が設けられており、このシャフト４６が、支持脚４０の上端部に設けられたブラケット４４に軸支されている。
【００３６】
図３、図５乃至図７に示すように、支持脚４０には、搬送モータ４８が取り付けられており、この搬送モータ４８の駆動軸のスプロケット５０とシャフト４６に取付けられているスプロケット５２の間にチェーン５４が巻き掛けられており、搬送モータ４８の駆動によってシャフト４６が回転されるようになっている。
【００３７】
図１、図３及び図５乃至図７に示すように、揺動コンベア３２には、シャフト４６の軸方向に沿って所定間隔で配置された複数本の揺動アーム５６が設けられている。
【００３８】
揺動アーム５６は、長手方向の一端側がシャフト４６に挿通されて軸支され、ている。また、図３、図５乃至図７に示すように、揺動アーム５６は、長手方向の中間部が、シャフト４６と平行に配設された連結バー４２によって連結されており、これにより、複数本の揺動アーム５６が一体でシャフト４６を軸に回動可能となっている。
【００３９】
揺動アーム５６のそれぞれには、シャフト４６と反対側の端部にプーリ５８が軸支されており、シャフト４６には、それぞれのプーリ５８に対向してプーリ６０が取り付けられ、プーリ５８、６０の間に無端の搬送ベルト６２が巻き掛けられている。
【００４０】
それぞれの搬送ベルト６２は、上側が揺動アーム５６から上方に突出しており、揺動コンベア３２は、パンチ／版曲げ装置１６の版曲げ部２０から送り出される印刷版１２を、揺動アーム５６を略水平にした状態で受け取って搬送ベルト６２に掛け渡すように載置する。
【００４１】
一方、揺動アーム５６には、パンチ／版曲げ装置１６からの印刷版１２の送り出し方向側の先端に、ストッパ６４が設けられており、印刷版集積装置１０は、パンチ／版曲げ装置１６から送り出される印刷版１２を揺動コンベア３２で受け取るときに、搬送モータ４８を作動させて搬送ベルト６２を回転駆動し、搬送ベルト６２上に受け取った印刷版１２を、ストッパ６４へ向けて移動する。これにより、図５に示すように、印刷版１２は、幅方向の一端側がストッパ６４に当接した状態で停止されて、搬送コンベア３２上に載置される。
【００４２】
図４（Ａ）及び図４（Ｂ）に示すように、ストッパ６４は、アーム１００と止め板１０２によって形成されている。アーム１００は、帯状の板材を用いて、この板材の長手方向の一端を略直角に折曲させて略Ｌ字形状に形成され、折曲部分が止め板１０２の取付部１０４となるようにしている。
【００４３】
このアーム１００は、屈曲させた先端（取付部１０４）が下方へ向くように揺動アーム５６の先端に取り付けられ、搬送ベルト６２の駆動によって印刷版１２が、アーム１００上に移動するようになっている。
【００４４】
また、止め板１０２は、略矩形平板状に形成されており、長手方向の一端側が取付部１０４の印刷版１２の搬送方向（移動方向）下流側の面に固定され、他端側が、アーム１００の上面（印刷版１２を載置する面）側に突設されている。
【００４５】
これにより、搬送ベルト６２の駆動によってアーム１００上を移動する印刷版１２は、搬送方向である幅方向の先端が、止め板１０２に当接して停止するようになっている。
【００４６】
このとき、ストッパ６４では、止め板１０２が、長手方向の一端側を取付部１０４に固定されることにより、印刷版１２の当接する側の端部が揺動可能となっている。これにより、止め板１０２に当接する印刷版１２は、止め板１０２に衝撃を吸収されながら、止め板１０２に当接することによる損傷が防止されながら停止する。
【００４７】
一方、図３、図５乃至図６に示すように、架台３０上の台座３８には、支持脚４０の間にエアシリンダ６６がブラケット６８を介して揺動可能に取り付けられている。このエアシリンダ６６のロッド６６Ａには、揺動アーム５６が連結されている。
【００４８】
揺動コンベア３２では、エアシリンダ６６がロッド６６Ａを伸長させた状態では、揺動アーム５６が略水平に保持される（図３及び図５参照）。また、エアシリンダ６６がロッド６６Ａを収縮することにより、印刷版１２をストッパ６４で支持した状態でシャフト４６を中心にストッパ６４が下方側となるように揺動コンベア３２（揺動アーム５６）回動する（図６及び図７参照）。
【００４９】
揺動コンベア３２の下方には、可動シュート３４が配置されている。可動シュート３４は、揺動コンベア３２の互いに隣接する揺動アーム５６の間に支持アーム７０が配置されている。
【００５０】
台座３８には、支持脚４０と反対側の端部にブラケット７２が取付けられており、このブラケット７２にシャフト７４が挿通されて軸支されている。支持アーム７０は、長手方向の一端側にシャフト７４が挿通されて連結されており、これにより、複数本の支持アーム７０が一体で、シャフト７４を軸に回動可能となっている。
【００５１】
また、可動シュート３４には、ブラケット７８を介して台座３８に軸支されて取付けられたエアシリンダ７６のロッド７６Ａが、支持アーム７０の長手方向の中間部に連結されている。
【００５２】
これにより、可動シュート３４は、エアシリンダ７６がロッド７６Ａを収縮させた状態では、支持アーム７０が支持脚４０側に所定の角度で傾斜した状態で保持される。また、可動シュート３４は、エアシリンダ７６のロッド７６Ａが伸長することにより、シャフト７４を軸に支持アーム７０が、載置部３６側に傾斜するように回動する。
【００５３】
印刷版集積装置１０では、可動シュート３４の支持アーム７０を支持脚４０側に傾斜させた状態で、揺動コンベア３２を下方へ揺動させる。これにより、図６に示すように、揺動コンベア３２の揺動アーム５６と可動シュート３４の支持アーム７０が交差すると、ストッパ６４に支持されて、揺動アーム５６に傾斜状態で載置されている印刷版１２が支持アーム７０に載せられる。このとき、止め板１０２に支持されている印刷版１２の下端部（幅方向の端部）は、支持アーム７０に設けられているストッパ７０Ａに当接して支持される。
【００５４】
図１、図３、図５乃至図７に示すように、載置部３６には、可動シュート３４に対向して載置板８２が設けられている。この載置板８２は、架台３０の支持脚４０と反対側の端部に立設された背板８０に立て掛けられるようにして架台３０上に所定の角度に傾斜された状態で取り付けられている。
【００５５】
印刷版集積装置１０では、印刷版１２を載置板８２に立て掛けるようにして集積するようになっており、載置板８２は、印刷版１２の天地方向に沿った長さが、集積する印刷版１２の天地方向の端部が突出しないようにするために、略印刷版１２の天地方向に沿った寸法と同じか僅かに長くなっている。これにより、印刷版集積装置１０の近傍を通過する作業員や機材等が、載置板８２に立て掛けられて集積されている印刷版１２に触れて損傷させてしまうのを防止している。
【００５６】
この載置板８２には、架台３０側の下端部に受け板８４が取付けられている。この受け板８４は、載置板８２の上面に対して略直角に取り付けられており、載置部３６では、支持アーム７０のストッパ７０Ａに支持されている印刷版１２の端部を受け板８４に載せた状態で、この印刷版１２を載置板８２の表面に沿わせるように立て掛ける。
【００５７】
図３に示すように、受け板８４には、可動シュート３４の支持アーム７０の位置に合わせて切り欠き８４Ａが形成され、支持アーム７０の下端部が切り欠き８４Ａ内に入り込んでいる。
【００５８】
これにより、図６に示すように、印刷版集積装置１０では、揺動コンベア３２の揺動アーム５６が可動シュート３４の支持アーム７０よりも支持脚４０側となることにより、揺動アーム５６に支持されている印刷版１２が、支持アーム７０へ受け渡されると共に、揺動アーム５６に設けているストッパ６４に支持されている印刷版１２の幅方向の端部が支持アーム７０のストッパ７０Ａに載せられ、支持アーム７０が回動したときに載置部３６の受け板８４に載せられる。
【００５９】
図７に示すように、印刷版集積装置１０では、可動シュート３４の支持アーム７０で印刷版１２を支持すると、エアシリンダ７６が駆動してロッド７６Ａを伸長し、支持アーム７０を載置部３６の載置板８２と略平行となるように回動する。
【００６０】
これにより、ストッパ７０Ａと支持アーム７０に支持されていた印刷版１２は、画像記録面２２を載置板８２に向けた状態で、載置板８２へ向けて移動されて傾倒される。
【００６１】
このとき、印刷版１２は、下端部が支持アーム７０のストッパ７０Ａから受け板８４に受け渡されて支持されることにより、受け板８４上を載置板８２側へ向けて移動して、載置板８２に立て掛けられて載置される。
【００６２】
また、載置板８２に立て掛けられて載置された印刷版１２は、天地方向の両端に形成されている曲げ部２６Ａ、２６Ｂの先端が可動シュート３４側（パンチ／版曲げ装置１６側）へ向けられている。
【００６３】
一方、図３、図５乃至図８に示すように、印刷版集積装置１０では、載置部３６に設けている載置板８２に、印刷版支持部８６が設けられている。この印刷版支持部８６は、帯板状の支持板８８を備えている。支持板８８は、印刷版１２の天地方向に沿った中間部に対向し、長手方向が上下方向に沿うように載置板８２に配置されている。
【００６４】
この支持板８８は、上端部及び長手方向に沿った中間部が、複数の固定脚９０を介して、載置板８２の上面と略平行となるように載置板８２に取り付けられて固定されている。
【００６５】
また、図８に詳細に示すように、支持板８８の下端部と載置板８２の間には、収縮脚９２が介在されている。この収縮脚９２は、載置板８２側にブロック状の固定部材９４が取り付けられており、この固定部材９４と支持板８８との間に、弾性変形可能な緩衝部材としてスポンジなどによってブロック状に形成された弾性部材９６が取り付けられている。
【００６６】
支持板８８は、アクリル等の可撓性を有する材質で帯板状に形成されており、長手方向の中間部を固定して、一端側に、表裏方向への曲げ力を加えることにより、弾性変形して湾曲可能となっている。
【００６７】
載置板８２へ向けて傾倒される印刷版１２は、下端部が受け板８４上を載置板８２へ向けて移動するようになっており、支持板８８は、下端部にこの印刷版１２の下端部が当接することにより、最も下の固定脚９０（以下「固定脚９０Ａ」とする）より下方側が湾曲する。
【００６８】
これにより、載置板８２に立て掛けられる印刷版１２は、下端部が支持板８８によって衝撃が吸収されながら停止し、この後に、支持板８８の略全面に印刷版１２が接して支持される。
【００６９】
このとき、収縮脚９２の固定部材９４に取り付けられた弾性部材９６が弾性変形して、支持板８８の下端部が固定部材９４に接近した位置で、支持板８８の湾曲と共に印刷版１２の下端部の移動を停止させる。
【００７０】
すなわち、収縮脚９２に設けている固定部材９４が支持板８８の湾曲を規制して、支持板８８の下端部が大きく湾曲してしまうことにより、支持板８８と受け板８４に生じた大きな隙間に、印刷版１２の下端部が入り込んで、画像記録面２２等の損傷を生じさせてしまうのを防止するようにしている。また、収縮脚９２に設けている弾性部材９６は、支持板８８の変形を緩やかに収束させて、支持板８８の変形が固定部材９４によって停止されるときに、印刷版１２の下端部に衝撃が加わるのを防止している。
【００７１】
このとき、弾性部材９６の弾性力が大きいと、支持板８８の湾曲が小さくなって、十分な印刷版１２の衝撃吸収が困難となることがあるので、本実施の形態では、スポンジを用いることにより、弾性部材９６の弾性力が必要以上に大きくならずに、固定部材９４で支持板８８の湾曲量を規制するようにしている。
【００７２】
なお、支持板８８は、上面及び周縁部が滑らかに形成されて、接触する印刷版１２の画像記録面２２に損傷を生じないようにしている。
【００７３】
一方、図９（Ａ）に示すように、載置板８２に立て掛けられる印刷版１２は、載置板８２上から印刷版支持部８６の支持板８８が突出していることから、この支持板８８に対向する天地方向の中間部が、支持板８８に当接して、載置板８２から浮いた状態で支持される。また、印刷版１２は、天地方向の両端部が自重と支持体の剛性に基づいて天地方向の中間部よりも載置板８２に接近した状態となり、これにより、印刷版１２は、載置板８２と反対側へ向けて凸状となるように湾曲されて載置される。
【００７４】
また、図９（Ｂ）及び図９（Ｃ）に示すように、次に載置板８２に載置される印刷版１２は、天地方向の中間部が支持板８８によって湾曲されて突出している印刷版１２の天地方向の中間部に当接するために、すでに集積されている印刷版１２の湾曲に合わせて凸状に湾曲されて集積される。このとき、既に載置板８２上に集積されている印刷版１２は、新たな印刷版１２が重ねられることにより、徐々に曲率が大きくなる。
【００７５】
このような支持板８８は、受け板８４から上端までの高さである長さが、印刷版集積装置１０で集積する最大サイズ（幅方向に沿ったサイズ）の最も大きな印刷版１２の幅方向に沿った長さの１／２以上であり、かつ、印刷版１２に形成しているノッチ２４Ａ、２４Ｂよりも高くなるようにしている。これにより、最大サイズの印刷版１２を集積したときに、この印刷版１２の下端が、受け板８４から浮き上がって集積不良が生じてしまうのを防止できると共に、印刷版１２がノッチ２４Ａ、２４Ｂを結ぶ位置で、自重によって折れ曲がってしまうのを防止するようにしている。
【００７６】
また、載置板８２の上面から支持板８８までの高さは、集積する印刷版１２の枚数及び印刷版１２に形成する曲げ部２６Ａ、２６Ｂの寸法に基づいて設定するようにしている（例えば、集積する印刷版１２の枚数をＸ、曲げ部２６Ａ、２６Ｂの何れか大きいほうの曲げ寸法をｈ（図２（Ｂ）参照）としたときに、支持板８８の高さＨを、Ｈ＜ｈ×Ｘとするなど）。
【００７７】
これにより、印刷版１２を支持板８８に支持させたときに、受け板８４側の端部側が浮き上がるようにして倒れてしまうのを防止すると共に、支持板８８にかからない印刷版１２の幅方向の端部側（図５乃至図７の紙面上側）に折れ等が生じるのを防止している。なお、本実施の形態では、一例として載置板８２の上下方向の長さと、支持板８８の長さを略同じにしている。
【００７８】
以下に、本実施の形態の作用を説明する。
【００７９】
印刷版１２に画像を焼付けて印刷用の刷版を作成する製版システム１４では、図示しない画像焼付装置によって印刷版１２に画像焼付けを行うと、自動現像装置によって印刷版１２の現像処理を行う。さらに、製版システム１４では、印刷版１２の現像処理が終了すると、この印刷版１２をパンチ／版曲げ装置１６へ送り込む。
【００８０】
パンチ／版曲げ装置１６では、先ず、パンチ部１８で印刷版１２を位置決めして、印刷版１２の天地方向の端部の所定位置にノッチ２４Ａ、２４Ｂを穿設する。次に、パンチ／版曲げ装置１６では、この印刷版１２を版曲げ部２０へ送り、版曲げ部２０で再度位置決めを行った後に、印刷版１２の天地方向の両端部のそれぞれに版曲げ処理を施し、曲げ部２６Ａ、２６Ｂを形成する。
【００８１】
このようにして、パンチ及び版曲げ処理が終了した印刷版１２は、略水平状態で、幅方向に沿って搬送されて、パンチ／版曲げ装置１６から送り出される。
【００８２】
印刷版集積装置１０では、エアシリンダ６６のロッド６６Ａを伸長させて、揺動コンベア３２を略水平状態にして待機しており、これにより、パンチ／版曲げ装置１６から送り出される印刷版１２は、揺動コンベア３２上に送り出されて搬送ベルト６２に載置されれる。
【００８３】
また、印刷版集積装置１０では、パンチ／版曲げ装置１６から送り出される印刷版１２ないし搬送ベルト６２上に移動した印刷版１２を図示しないセンサによって検出すると、搬送モータ４８を駆動する。
【００８４】
これにより、揺動コンベア３２の搬送ベルト６２に載置された印刷版１２は、搬送ベルト６２によって揺動アーム５６の先端のストッパ６４へ向けて移動し、幅方向の端部がストッパ６４に当接した位置で停止される。なお、印刷版集積装置１０では、搬送ベルト６２に印刷版１２を載置してから所定時間経過した後、または印刷版１２がストッパ６４に当接して停止したことを検出した後、などの所定のタイミングで搬送モータ４８の駆動を停止する。
【００８５】
一方、可動シュート３４は、エアシリンダ７６のロッド７６Ａを収縮させて支持アーム７０を支持脚４０側に傾斜した状態で待機しており、印刷版集積装置１０では、揺動コンベア３２の所定の位置に印刷版１２を載置すると、エアシリンダ６６のロッド６６Ａを収縮し、印刷版１２が載置されている揺動コンベア３２を、シャフト４６を軸にして揺動させる。
【００８６】
これにより、揺動コンベア３２の揺動アーム５６が、可動シュート３４の支持アーム７０と交差することにより、揺動コンベア３２に載置されている印刷版１２が、ストッパ６４に支持された状態で傾斜し、支持アーム７０とストッパ７０Ａに支持されて可動シュート３４へ受け渡される。
【００８７】
印刷版集積装置１０では、印刷版１２を揺動コンベア３２から可動シュート３４へ受け渡すと、エアシリンダ７６を駆動してロッド７６Ａを伸長させ、シャフト７４を軸に可動シュート３４の支持アーム７０を回動させ、印刷版１２を載置部３６の載置板８２に対向するように起きあがらせた後に、載置板８２へ向けて傾倒させる。
【００８８】
これにより、印刷版１２は、幅方向の一端側が受け板８４に支持されている状態で、載置板８２との間の略平行状態を保ちながら載置板８２へ倒れるように平行移動して、載置板８２に載置される。このとき、印刷版１２は、下端が受け板８４に当接して支持された状態で、かつ、載置板８２に対して略平行で受け板８４上を移動する。
【００８９】
印刷版集積装置１０では、この印刷版１２の載置板８２への載置を、所定枚数の印刷版１２が、パンチ／版曲げ装置１６から送り出されるごとに繰り返すことにより、所定枚数の印刷版１２を載置板８２上に集積する。
【００９０】
ところで、印刷版集積装置１０では、ストッパ６４を、揺動アーム５６に設けているアーム１００に取付けている。このアーム１００は、略Ｌ字上に折曲されて、折曲した先端部が下方経向けられて取付けられており、さらに、このアーム１００の先端に止め板１０２が取り付けられている。
【００９１】
また、印刷版１２が当接する止め板１０２は、例えばＳＵＳ３０４、ＳＫ５等のバネ材として適用可能な材質で形成されて、下方側がアーム１００に形成している取付部１０４に固定されて、アーム１００の上面より上方に突出している上方側が、印刷版１２の移動方向の下流側へ向けて揺動可能となっている。
【００９２】
これにより、アーム１００上を移動した印刷版１２が、ストッパ６４の止め板１０２に当接すると、止め板１０２が揺動して、印刷版１２が停止するときの衝撃を吸収する。したがって、印刷版１２を揺動コンベア３２上で停止するときに、止め板１０２に当接する印刷版１２の端部に損傷を生じさせることがない。
【００９３】
すなわち、図４（Ｂ）に示すように、印刷版集積装置１０では、印刷版１２の天地方向に沿って複数のアーム１００を配置して、これらのアーム１００に掛け渡すようにして印刷版１２を受け取る。
【００９４】
このために、アーム１００のそれぞれのストッパ６４に印刷版１２が当接するが、ストッパ６４の取付け精度が低かったり印刷版１２が傾いて移動すると、印刷版１２が全てのストッパ６４に同時に当接せずに、何れかのストッパ６４に最初に当接することがある。このときに、ストッパ６４が印刷版１２の衝撃を十分に吸収できないと、印刷版１２に損傷を生じさせてしまう恐れがある。
【００９５】
これに対して、印刷版集積装置１０では、ストッパ６４をアーム１００とアーム１００の先端に、印刷版１２の移動方向下流側へ向けて揺動可能となるように止め板１０２を取り付けて形成することにより、印刷版１２が当接するときの衝撃を確実に吸収できるようにしている。
【００９６】
また、印刷版１２の衝撃を吸収するために、略Ｌ字状に形成したアームの先端を上方へ向け、この先端に印刷版１２に対向するように弾性体などで形成した緩衝部材を設けることが考えられる。
【００９７】
しかし、この場合、印刷版１２が当接することにより緩衝部材に磨耗が生じて、確実な衝撃吸収が困難になることがある。また、緩衝部材を設けた場合、緩衝部材とアームの隙間に印刷版１２が入り込んで、この印刷版１２を支持アーム７０へ確実に受け渡すことが困難となる動作不良が生じてしまうこともある。
【００９８】
これに対して、印刷版集積装置１０に設けているストッパ６４では、印刷版１２の搬送方向に沿って部材の接触面がないので、部材の接触面の間の隙間が広がるなどして、印刷版１２が入り込んでしまうことがなく、円滑で確実な集積が可能となる。
【００９９】
このように、印刷版集積装置１０では、略Ｌ字状に屈曲して形成したアーム１００に止め板１０２を取り付けた簡単な構成のストッパ６４で、印刷版１２に損傷を生じさせることなく円滑な集積が可能となっている。
【０１００】
一方、印刷版集積装置１０の載置部３６には、載置板８２上に印刷版支持部８６が設けられており、可動シュート３４によって載置板８２へ向けて倒された印刷版１２は、先ず、ストッパ６４に支持されている幅方向の端部（以下、「下端」又は「下端部」とする）が、支持アーム７０のストッパ７０Ａから受け板８４へ受け渡される。
【０１０１】
この後に、支持アーム７０が、載置板８２へ向けてさらに回動されることにより、印刷版１２は、下端が受け板８４に支持された状態で、載置板８２へ向けて平行移動する。
【０１０２】
これにより、印刷版１２は、天地方向の中間部の画像記録面２２が印刷版支持部８６の支持板８８に当接する。このときに、印刷版１２は、受け板８４上を移動する幅方向の下端部が、先ず、印刷版支持部８６の支持板８８の下端側に当接する。
【０１０３】
印刷版支持部８６の支持板８８は、中間部及び上端部側が固定脚９０によって載置板８２の上面から所定高さに固定されているが、下端部には収縮脚９２が設けられており、固定脚９０Ａから下方側が湾曲可能となっている。
【０１０４】
これにより、支持板８８の下端部に印刷版１２の下端部が当接すると、支持板８８の下端部が弾性変形して印刷版１２の衝撃を吸収しながら、印刷版１２の下端部を停止させる。
【０１０５】
また、湾曲する支持板８８の下端部には、載置板８２との間に収縮脚９２が設けられており、支持板８８の下端部が湾曲するときに、弾性部材９６が弾性変形して収縮して、支持板８８の湾曲が固定部材９４に達する手前で止まるようにしている。
【０１０６】
すなわち、印刷版支持部８６では、収縮脚９２に設けた固定部材９４によって支持板８８の湾曲を制限して、支持板８８が大きく湾曲して支持板８８の下端と受け板８４の間の間隔が広がることにより、印刷版１２の下端が受け板８４と支持板８８の間の隙間に入り込んで折れ曲がるなどの損傷が生じてしまうのを確実に防止している。このとき、弾性部材９６は、支持板８８の湾曲を円滑に収束させると共に、直接、支持板が固定部材９４に当接して、印刷版１２の下端部に衝撃を与えてしまうのを防止するようにしている。
【０１０７】
このようにして、下端部が支持板８８に当接して下端部の移動が停止した印刷版１２は、天地方向の中間部がこの支持板８８に当接して支持され、また、印刷版１２は、支持体の剛性と自重によって天地方向の両端部側が載置板８２に接近して、所定の位置に停止する。
【０１０８】
これにより、図９（Ａ）に示すように、印刷版１２は、載置板８２と反対側へ向けて凸となるように湾曲され、曲げ部２６Ａ、２６Ｂの先端が支持板８８に支持された天地方向の中間部が載置板８２から離間する方向に突出することなく保持される。
【０１０９】
このように印刷版集積装置１０では、最初に立て掛けられる印刷版１２の下端部が支持板８８に当接するときに、支持板８８の下端側が湾曲して、印刷版１２の下端の移動を緩やかに停止させるので、載置板８２に設けている支持板８８に当接する印刷版１２の画像記録面２２を損傷させてしまうことがない。また、支持板８８には、印刷版１２の画像記録面２２に当接する面に、緩衝部材等を設けていないため、印刷版１２の画像記録面２２を保護するために設けた緩衝部材等の磨耗によって、逆に印刷版１２の画像記録面２２に損傷等を生じさせてしまうのを確実に防止することができる。
【０１１０】
このようにして、最初の印刷版１２を集積した印刷版集積装置１０では、次の印刷版１２がパンチ／版曲げ装置１６から送り出されると、この印刷版１２も同様にして載置部３６の載置板８２に載せる。
【０１１１】
すなわち、印刷版集積装置１０では、既に載置部３６に印刷版１２（以下「印刷版１２Ａ」とする）が載置されている状態で、新たな印刷版１２（以下「印刷版１２Ｂ」とする）を載置部３６に載置するときにも、揺動コンベア３２で印刷版１２Ｂを受け取ると、揺動コンベア３２を下方へ向けて揺動させて、印刷版１２Ｂを可動シュート３４へ受け渡す。この後、印刷版集積装置１０では、印刷版１２Ｂを受け取った可動シュート３４を、載置部３６へ向けて回動させる。
【０１１２】
これにより、図９（Ａ）に示すように、印刷版１２Ｂは、下端部が受け板８４に支持された状態で、受け板８４上を載置板８２へ向けて平行移動し、図９（Ｂ）に示すように、この印刷版１２Ｂは、画像記録面２２（図９（Ａ）乃至図９（Ｃ）の紙面下側の面）の天地方向の中間部が、先ず、印刷版支持部８６の支持板８８に支持されることにより湾曲して突出している印刷版１２Ａの天地方向の中間部に当接する。この後に、図９（Ｃ）に示すように、印刷版１２Ｂは、天地方向の両端部が緩やかに湾曲し、印刷版１２Ｂの曲げ部２６Ａ、２６Ｂのそれぞれが、印刷版１２Ａの曲げ部２６Ａ、２６Ｂに接近して当接し、さらに、印刷版１２Ａ、１２Ｂの天地方向の両端部が一体で自重と支持体の剛性に応じた所定の位置または、載置板８２に当接する位置まで湾曲する。
【０１１３】
これにより、印刷版１２Ａに重ねられた印刷版１２Ｂの天地方向の両端は、天地方向の中間部よりも載置板８２に接近した位置となり、集積部３６に所定の枚数の印刷版１２が集積されるまでは、新たな印刷版１２の天地方向の中間部が、天地方向の両端部よりも先に、既に積層されている印刷版１２の天地方向の中間部に当接するようになっている。
【０１１４】
このとき、印刷版集積装置１０では、集積する印刷版１２を、天地方向の中間部が突出するように湾曲させ、新たな印刷版１２の天地方向の中間部が、先ず、既に積層されている印刷版１２に当接した後に、版曲げ処理が施されている天地方向の両端部が、既に積層されている印刷版１２に重ねられるようにしているので、既に積層されている印刷版１２の天地方向の先端が、新たに積層される印刷版１２の画像記録面２２に当接するときに、画像記録面２２を損傷させてしまうことがなく、多数枚の印刷版１２を、それぞれの画像記録面２２に損傷を生じさせてしまうことなく集積することが出きる。
【０１１５】
このように、印刷版集積装置１０では、最初に載置板８２に立て掛ける印刷版１２（１２Ａ）は勿論、この印刷版１２に重ねて集積する印刷版１２（１２Ｂ）に画像記録面２２や周縁部に損傷を生じさせることなく円滑にかつ確実に集積することが出きる。
【０１１６】
なお、以上説明した本実施の形態は、本発明の一例を示すものであり、本発明の構成を限定するものではない。例えば、本実施の形態では、アーム１００を略Ｌ字状に屈曲させて、その先端部に止め板１０２を取り付けた構成を適用したが、これに限らず、アーム１００の先端を下方へ向けて折曲させずに、止め板を略Ｌ字形状に形成して、この止め板の一端側を、アーム１００の先端部下面に配置して固定することにより、他端側が上方へ突出するようにしたものであっても良い。
【０１１７】
また、本実施の形態では、所謂２Ｌ１Ｗサイズの印刷版１２の集積に用いる印刷版集積装置１０を例に説明したが、本発明は、これに限らず１Ｌ１Ｗサイズ、１Ｌ２Ｗサイズ、２Ｌ２Ｗサイズの印刷版を集積する印刷版集積装置は勿論、これらと異なるサイズの印刷版や複数サイズの印刷版を混在して集積する任意の構成の印刷版集積装置に適用することができる。
【０１１８】
【発明の効果】
以上説明したように本発明によれば、天地方向の中間部が凸状となるように集積するときに、印刷版の画像記録面等が支持板に接触することにより損傷してしまうのを長期に渡って確実に防止して、円滑な印刷版の集積が可能となると言う優れた効果が得られる。
【０１１９】
また、本発明では、アーム部の先端に止め板を設けた簡単な構成で、上流側の処理装置から略水平状態で送り出される印刷版に損傷等を生じさせることなく、この印刷版を円滑にかつ確実に受け取ることができる。
【図面の簡単な説明】
【図１】本実施の形態に適用した印刷版集積装置と製版システムのパンチ／版曲げ装置を示す製版システムの要部の概略斜視図である。
【図２】（Ａ）及び（Ｂ）は印刷版集積装置で集積する印刷版を示し、（Ａ）は印刷版の概略平面図、（Ｂ）は印刷版の概略斜視図である。
【図３】本実施の形態に適用した印刷版集積装置の概略斜視図である。
【図４】（Ａ）は揺動アームに設けたストッパの概略構成を示す要部側面図、（Ｂ）はストッパが設けられている揺動アームの先端部を示す概略平面図である。
【図５】印刷版集積装置の概略構成図であり、パンチ／版曲げ装置からの印刷版の受け取る状態を示している。
【図６】印刷版集積装置の概略構成図であり、揺動コンベアから可動シュートへの印刷版の受渡し状態を示している。
【図７】印刷版集積装置の概略構成図であり、可動シュートから載置部への印刷版の受渡し状態を示している。
【図８】載置板に設けた印刷版支持部を示す再置部の要部の概略構成図である。
【図９】（Ａ）乃至（Ｃ）は載置部への印刷版の載置の流れを示す載置板の上方側から見た概略図であり、（Ａ）は印刷版を載置板に対向するように傾倒させた状態を示し、（Ｂ）は印刷版の天地方向の中間部が支持板に当接して支持された状態を示し、（Ｃ）は印刷版が載置板に支持された状態を示している。
【符号の説明】
１０　　印刷版集積装置
１２　　印刷版
１６　　パンチ／版曲げ装置（処理装置）
３２　　揺動コンベア（揺動手段）
３４　　可動シュート（傾倒手段）
３６　　載置部
５６　　揺動アーム（揺動手段）
６４　　ストッパ
６６　　エアシリンダ（揺動手段）
７０　　支持アーム（傾倒手段）
７６　　エアーシリンダ（傾倒手段）
８２　　載置板
８４　　受け板
８６　　印刷版支持部
８８　　支持板
９０　　固定脚
９２　　収縮脚
９４　　固定部材
９６　　弾性部材
１００　　アーム（アーム部）
１０２　　止め板
１０４　　取付部
【図１】
2004115155.tif 000003
【図２】
2004115155.tif 000004
【図３】
2004115155.tif 000005
【図４】
2004115155.tif 000006
【図５】
2004115155.tif 000007
【図６】
2004115155.tif 000008
【図７】
2004115155.tif 000009
【図８】
2004115155.tif 000010
【図９】
2004115155.tif 000011